(57)【特許請求の範囲】
【請求項１】
複数の入力ソース夫々に基づく複数の画像各々を、同一の表示画面に同時に、互いに異なる視野角方向各々に対応して表示するマルチビュー表示手段と、
該マルチビュー表示手段が前記表示画面に表示する画像を、一つ又は複数の入力ソース夫々に対応する一画像又は複数の画像に切り替える切替手段と
を備える表示装置であって、
前記切替手段が前記表示画面に表示する画像を切り替える前に、複数の入力ソースの識別情報である各入力ソース名を、前記マルチビュー表示手段が表示する複数の画像のうち少なくとも一つの画像に表示する識別情報表示手段と、
前記切替手段により、前記表示画面に一画像を表示する単画像表示手段と
を備え、
前記識別情報表示手段は、前記マルチビュー表示手段が前記複数の画像を表示した場合、前記表示画面の少なくとも一部分に、前記単画像表示手段が一画像を表示する画像表示領域を設け、該画像表示領域に前記識別情報を表示するようにしてある
ことを特徴とする、表示装置。
【請求項２】
複数の入力ソース夫々に基づく複数の画像各々を前記表示画面に同時に表示するための各画像光について、該画像光毎に異なる視野角方向の画像光を遮断する遮断手段を備え、
前記マルチビュー表示手段は、前記遮断手段が前記複数の画像夫々に対応する異なる視野角方向の画像光毎を遮断することにより、該複数の画像を前記表示画面に同時に表示するようにしてあり、
前記遮断手段は、前記画像光を遮断する閉口部及び透過する開口部が、交互に短冊状又はマトリクス状に配置された視差バリア手段を含んで構成される、請求項１に記載の表示装置。
【請求項３】
前記視差バリア手段は、前記開口部及び閉口部夫々における透過状態及び非透過状態を電気的に切り替える、請求項２に記載の表示装置。
【請求項４】
前記識別情報表示手段は、前記マルチビュー表示手段が表示する複数の画像のうち一つの画像に複数の入力ソースの画像を表示する複数画像表示手段を含んで構成される、請求項１〜３のいずれか一項に記載の表示装置。
【請求項５】
前記複数画像表示手段は、複数の入力ソースの画像のうち少なくとも一つを縮小する縮小処理手段を含んで構成される、請求項４に記載の表示装置。
【請求項６】
前記複数画像表示手段は入力ソースの画像の表示位置を設定する表示位置設定処理手段を含んで構成される、請求項４又は５に記載の表示装置。
【請求項７】
前記画像表示領域を前記マルチビュー表示手段が表示する前記複数の画像の数に分割し、分割された画像表示領域夫々に前記複数画像表示手段により複数の入力ソースの各画像を表示する分割表示処理手段を備える、請求項４〜６のいずれか一項に記載の表示装置。
【請求項８】
前記識別情報表示手段が前記識別情報を表示した場合、該識別情報に対応する入力ソースを選択するための入力選択画像を表示する選択画像表示手段を備える、請求項１〜７のいずれか一項に記載の表示装置。
【請求項９】
前記選択画像表示手段が前記入力選択画像を表示した場合、選択中の画像の音声を出力する音声出力手段を備える、請求項８に記載の表示装置。
【請求項１０】
前記識別情報表示手段は前記識別情報を文字又は記号によって表した画像を表示させる、請求項１〜９のいずれか一項に記載の表示装置。
【請求項１１】
複数の入力ソース夫々に基づく複数の画像各々を、同一の表示画面に同時に、互いに異なる視野角方向夫々に対応して表示するマルチビュー表示ステップと、
該マルチビュー表示ステップが前記表示画面に表示する画像を、一つ又は複数の入力ソース夫々に対応する一画像又は複数の画像に切り替える切替ステップと
を備える表示方法であって、
前記切替ステップが前記表示画面に表示する画像を切り替える前に、複数の入力ソースの識別情報である各入力ソース名を、前記マルチビュー表示ステップが表示する複数の画像のうち少なくとも一つの画像に表示する識別情報表示ステップと、
前記切替ステップにより、前記表示画面に一画像を表示する単画像表示ステップと
を備え、
前記識別情報表示ステップは、
前記マルチビュー表示ステップが前記複数の画像を表示した場合、前記表示画面の少なくとも一部分に、前記単画像表示ステップにより一画像を表示する画像表示領域を設けるステップと、
設けた前記画像表示領域に前記識別情報を表示するステップと
を含む
ことを特徴とする、表示方法。
【発明の詳細な説明】
【技術分野】
【０００１】
本発明は、同一の表示画面から、複数の表示方向それぞれに、互いに異なる複数の画像を同時に表示するマルチビュー表示と、同一の表示画面から、表示方向へ１つの画像を表示する単画面表示とが可能な表示装置に関する。
【背景技術】
【０００２】
従来の表示手段は、同一の表示画面に一つの画像を表示するものが多い。一般にこれらの表示手段は、正面や横方向等のどの方向から見ても、同一の画像が視聴される。
【０００３】
これに対して、一つの画面から複数の表示方向それぞれに、互いに異なる複数の画像を同時に表示するマルチビュー表示を実現させる方法が、いくつか提案されている。その一つの方法として、視差バリアと呼ばれる視野角制御手段を用いて、表示画面の視野角を制御する方法があり、すでに実用化されている。これは、一つの表示画面で、二人以上の視聴者が、互いに異なる画像を見ることが可能になるという面で、特にカーナビゲーションシステム等で好適に用いられている。すなわちマルチビュー表示を行う表示装置によって、運転席と助手席それぞれに、ナビゲーション画面とビデオ映像等の互いに異なる複数の入力ソースの画像を同時に表示することが可能となった。さらに、家庭用テレビなどへの応用も期待されている。
【０００４】
一般に、これらのマルチビュー表示装置においては、複数の表示方向の境界付近の方向から画面を視聴した際に、２つの画像が重なって見える。このため複数の表示方向のどの方向から見ても、同様の画像が視聴できる単画面表示を行なうことが可能となっているものが多い（特許文献１、２）。
【０００５】
すなわち、２人以上の視聴者が異なる画像を視聴したい際には、マルチビュー表示を行い、一人の視聴者が単一の画像を視聴したい場合には単画面表示を行なう等の、表示の切り替えが行なわれる。
【特許文献１】特開２００５−７１２８６号公報
【特許文献２】特開２００５−７３０７６号公報
【発明の開示】
【発明が解決しようとする課題】
【０００６】
ところが、マルチビュー表示装置において、単画面表示からマルチビュー表示に切り替える際には、視聴者は切り替え後にどのような画像が、複数の表示方向に表示されようとしているのかがわからない。また、マルチビュー表示から単画面表示に切り替える際には、視聴者は切り替え前にどのような画像が、複数の表示方向に表示されていたのかがわからない。
【０００７】
さらにこれに起因して、チャンネルやビデオ入力等の入力ソースの選択作業も煩雑なものになるという問題があった。すなわち、単画面表示状態からマルチビュー表示状態に表示を切り替える際には、それぞれの視聴方向から表示画面を見て、それぞれの方向の入力ソースを設定することが必要である。
【０００８】
本発明はこのような問題に鑑みてなされたもので、単画面表示とマルチビュー表示とを有するマルチビュー表示装置において、
マルチビュー表示と単画面表示の切り替え時に、視聴者が入力ソースを容易に確認できるようにすることを目的とする。
【０００９】
さらにマルチビュー表示と単画面表示の切り替え時における、視聴者の入力ソースを選択する作業の負担軽減と入力画像の選択ミスを防ぐことを目的とする。
【課題を解決するための手段】
【００１０】
上記課題を解決するため本発明では、複数の入力ソース夫々に基づく複数の画像各々を、同一の表示画面に同時に、互いに異なる視野角方向各々に対応して表示するマルチビュー表示手段と、マルチビュー表示手段が表示画面に表示する画像を、一つ又は複数の入力ソース夫々に対応する一画像又は複数の画像に切り替える切替手段とを備える表示装置であって、切替手段が表示画面に表示する画像を切り替える前に、複数の入力ソースの識別情報である各入力ソース名を、マルチビュー表示手段が表示する複数の画像のうち少なくとも一つの画像に表示する識別情報表示手段と、切替手段により、表示画面に一画像を表示する単画像表示手段とを備えている。識別情報表示手段は、マルチビュー表示手段が複数の画像を表示した場合、表示画面の少なくとも一部分に、単画像表示手段が一画像を表示する画像表示領域を設け、画像表示領域に識別情報を表示するようにしてある。
【００１１】
このような構成にすることによって、視聴者は文字等による識別情報の表示を見るだけで、切り替え後のチャンネルがどのチャンネルであるか等を知ることができるようになり、視聴者によるマルチビュー表示時における入力画像を確認する作業の負担を軽減することができる。
また、複数の視野角方向の境目にあたる方向から視認した際にも、少なくとも画像表示領域に関しては異なる画像の重なりを防ぐことができる。これによって、視聴者の視方向にかかわらず複数の入力画像の識別情報を視認することが可能となる。
【００１２】
また、複数の入力ソース夫々に基づく複数の画像各々を表示画面に同時に表示するための各画像光について、画像光毎に異なる視野角方向の画像光を遮断する遮断手段を備え、マルチビュー表示手段は、遮断手段が複数の画像夫々に対応する異なる視野角方向の画像光毎を遮断することにより、複数の画像を表示画面に同時に表示するようにしてあり、遮断手段は、画像光を遮断する閉口部及び透過する開口部が、交互に短冊状又はマトリクス状に配置された視差バリア手段を含んで構成されるようにしてもよい。
【００１３】
このような視差バリアによって、マルチビュー表示を行うことができる。これによって、視聴者は同一の表示画面から表示方向ごとに異なる複数の画像を同時に視聴することができるようになる。
【００１４】
さらに、視差バリア手段は、開口部及び閉口部夫々における透過状態及び非透過状態を電気的に切り替えるようにしてもよい。
【００１５】
このような構成にすることによって、視差バリアの全面を透過状態にして単画面表示を行うことができる。この際には表示画面の解像度を向上させる効果がある。
【００１８】
また、識別情報表示手段は、マルチビュー表示手段が表示する複数の画像のうち一つの画像に複数の入力ソースの画像を表示する複数画像表示手段を含んで構成されるようにしてもよい。
【００１９】
このように一つの視聴方向に対する画像の中に複数の入力画像を表示させることで、視聴者は複数の入力画像自体がどのようなものであるかを知ることが可能となり、より明確に入力画像を識別できる。
【００２０】
さらに、複数画像表示手段は、複数の入力ソースの画像のうち少なくとも一つを縮小する縮小処理手段を含んで構成されるようにしてもよい。
【００２１】
このような縮小処理手段によって、適切な大きさで、単一の画像の中に複数の入力画像を表示させることが可能となる。これによって、視聴者は視聴状況に合わせた入力画像の大きさで、複数の入力画像を視聴できる。
【００２２】
また、複数画像表示手段は入力ソースの画像の表示位置を設定する表示位置設定処理手段を含んで構成されるようにしてもよい。
【００２３】
このような入力画像の表示位置を設定する機能を持つことにより、自由な位置に入力画像を表示させることができる。これによって、視聴者は視聴状況に合わせた入力画像の位置で、複数の入力画像を視聴できる。
【００２４】
さらに、画像表示領域をマルチビュー表示手段が表示する複数の画像の数に分割し、分割された画像表示領域夫々に複数画像表示手段により複数の入力ソースの各画像を表示する分割表示処理手段を備えるようにしてもよい。
【００２５】
このように表示装置の表示方向が２つなら画像を２分割、表示方向が３つなら画像を３分割というように、画像表示の領域を表示方向の数に分割することで、表示方向の数と同じ数の入力画像を最大の大きさで表示することができる。これによって視聴者は大きな画像で、入力画像の識別情報を視聴できる。
【００２６】
また、識別情報表示手段が識別情報を表示した場合、識別情報に対応する入力ソースを選択するための入力選択画像を表示する選択画像表示手段を備えるようにしてもよい。
【００２７】
これにより視聴者は、複数の入力画像の識別情報を見ながら入力画像を選択することができ、操作がわかり易く、選択を間違えることが少ない表示切り替えが可能となる。
【００２８】
さらに、選択画像表示手段が入力選択画像を表示した場合、選択中の画像の音声を出力する音声出力手段を備えるようにしてもよい。
【００２９】
これにより選択画像とともに、音声も出力したほうが効果的に入力画像を識別できる。この際に２つ以上の音声が出力されると、視聴者がどちらの音声も正しく聞き取れない場合がある。選択中の音声のみを出力する音声出力手段を備えることで、選択中の音声に関して正しく聞き取ることができるようになる。
【００３０】
また、識別情報表示手段は識別情報を文字又は記号によって表した画像を表示させるようにしてもよい。
【００３１】
このように文字や記号によって入力画像の情報を表示させることで、文字情報によって入力画像を識別でき、複数の入力画像の識別情報を知ることが可能となる。
【００３２】
さらに、文字又は記号によって表示される入力装置の識別情報は、チャンネル番号又は外部入力名であるようにしてもよい。
【００３３】
このようにチャンネルや外部入力名を表示させることで、複数の入力画像のチャンネルや外部入力名がわかるようになる。これによって、視聴者は容易に、入力画像を識別することができる。
【００３４】
上記課題を解決するため本発明では、複数の入力ソース夫々に基づく複数の画像各々を、同一の表示画面に同時に、互いに異なる視野角方向夫々に対応して表示するマルチビュー表示ステップと、マルチビュー表示ステップが表示画面に表示する画像を、一つ又は複数の入力ソース夫々に対応する一画像又は複数の画像に切り替える切替ステップとを備える表示方法であって、切替ステップが表示画面に表示する画像を切り替える前に、複数の入力ソースの識別情報である各入力ソース名を、マルチビュー表示ステップが表示する複数の画像のうち少なくとも一つの画像に表示する識別情報表示ステップと、切替ステップにより、表示画面に一画像を表示する単画像表示ステップとを有するようにしている。識別情報表示ステップは、マルチビュー表示ステップが複数の画像を表示した場合、表示画面の少なくとも一部分に、単画像表示ステップにより一画像を表示する画像表示領域を設けるステップと、設けた画像表示領域に識別情報を表示するステップとを含む。
【００３５】
このような方法を用いることによって、視聴者は識別情報の表示を見るだけで、切り替え後の複数の入力画像の識別情報を知ることができるようになり、視聴者によるマルチビュー表示時における入力画像を確認する作業の負担を軽減することができる。
また、複数の視野角方向の境目にあたる方向から視認した際にも、少なくとも画像表示領域に関しては異なる画像の重なりを防ぐことができる。これによって、視聴者の視方向にかかわらず複数の入力画像の識別情報を視認することが可能となる。
【発明の効果】
【００３６】
本発明によれば、単画面表示とマルチビュー表示が可能なマルチビュー表示装置において、マルチビュー表示と単画面表示の切り替え時に、視聴者が入力ソースを容易に確認できるようになる。
【００３７】
さらにマルチビュー表示と単画面表示の切り替え時における、視聴者の入力ソースを選択する作業の負担軽減と入力画像の選択ミスを防ぐことが可能となる。
【発明を実施するための最良の形態】
【００３８】
以下に、図面を参照しつつ、本発明の実施の形態について説明する。以下の説明では同一の部品及び構成要素には同一の符号を付してあり、それらの名称及び機能も同じである。
［実施の形態１］
まず、本実施の形態における表示装置の構成について説明する。なお本実施の形態では、マルチビュー表示装置として、視差バリアを用いることで２つの表示方向それぞれに対して、互いに異なる２つの画像を同時に表示可能であるデュアルビュー表示を行うデュアルビュー表示装置１００を用いた。
【００３９】
図１に、デュアルビュー表示装置１００の構成の具体例を示す。
【００４０】
本実施の形態にかかるデュアルビュー表示装置１００は、ＣＰＵ（Ｃｅｎｔｒａｌ  Ｐｒｏｃｅｓｓｉｎｇ  Ｕｎｉｔ）１１、表示制御部１２、表示部４０、を含んで構成されており、これらはデータ信号線であるバス１５によって結ばれている。
【００４１】
さらに図に示すように、表示制御部１２には複数の入力ソースの画像１６（入力画像）が入力されるようになっている。
【００４２】
ここで、入力ソースとはテレビのチャンネルやビデオ入力などの画像の入力源のことである。
【００４３】
ＣＰＵ１１は表示制御部１２に制御信号を送る機能を有している。表示制御部１２はＣＰＵ１１からの制御信号に基づいて、表示部４０に画像を表示させるための信号を送る機能を有している。
【００４４】
なお、表示制御部１２は、入力ソースの識別情報を表示する識別情報表示回路（識別情報表示手段）、複数の入力ソースの画像を画面上に表示させる複数画像表示回路（複数画像表示手段）、表示の際に入力ソースの画像を縮小する縮小処理回路（縮小処理手段）、入力ソースの画像を画面の自由な位置に表示する表示位置設定回路（表示位置設定手段）及び画像の表示領域を自由に分割する分割表示処理回路（分割表示処理手段）を備えている。
【００４５】
図２に、デュアルビュー表示装置１００の表示部４０の構成の具体例を示す。
【００４６】
表示部４０は、照明装置であるバックライト４１、バックライト４１からの光を透過及び遮光することで、画像を作り出す液晶部４２、さらに視野角特性を持たせるための視差バリア４３（視差バリア手段）を含む。なお液晶部４２はカラーフィルタ（図示しない）を含み、カラー表示を可能としている。
【００４７】
ここで、デュアルビュー表示装置１００の２つの表示方向をそれぞれ第一方向、第二方向とし、その中間の方向を正面方向とする。なお、表示画面に向かって、正面方向より左側の表示方向を第一方向、表示画面に向かって、正面方向より右側の表示方向を第二方向とする。さらに第一方向に対する画像を第一画像、第二方向に対する画像を第二画像と呼ぶこととする。
【００４８】
液晶部４２は、第一画像を表示する第一画像表示領域４２２と、第二画像を表示する第二画像表示領域４２１が、図２に示すように、順番に交互に並んで短冊状に構成される。ここで第一画像表示領域の左半分と第二画像表示領域の左半分を合わせて左側画像表示領域、第一画像表示領域の右半分と第二画像表示領域の右半分を合わせて右側画像表示領域とする。
【００４９】
視差バリア４３は、液晶部４２の画像を遮断する閉口部４３１と、液晶部４２の画像を通過させる開口部４３２が、図２に示されるように短冊状に交互に構成される。
【００５０】
これらの構造によって、第一画像表示領域４２２に表示された第一画像は、開口部４３２を通過して、第一方向にいる視聴者から視聴される。また、第二画像表示領域４２１に表示された第二画像は閉口部４３１に遮断されるので、第一方向にいる視聴者からは視聴されない。
【００５１】
一方で、第二画像表示領域に表示された第二画像は、開口部４３２を通過して、第二方向にいる視聴者から視聴される。また、第一画像表示領域に表示された第一画像は閉口部４３１に遮断されるので、第二方向にいる視聴者からは視聴されない。
【００５２】
このようにして表示部４０は、第一方向と第二方向それぞれに、第一画像と第二画像を同時に表示する。
【００５３】
なお、本実施の形態では開口部と閉口部が短冊状に交互に構成される視差バリア４３を用いたが、開口部と閉口部がマトリクス状に交互に構成される視差バリアを用いてもよい。この場合には閉口部と開口部とが市松模様状に交互に形成されることで、左から見た場合と右から見た場合に異なる画像が視聴できることに加えて、上から見た場合と下から見た場合にも異なる画像が視聴できる。
【００５４】
図３に、デュアルビュー表示装置１００の３つの表示状態を示す。
【００５５】
図３は、上段にデュアルビュー表示装置１００を上から見た図が示され、それぞれの表示状態における画像の表示方向が示されている。また、下段は正面からデュアルビュー表示装置１００を見た図であり、それぞれの表示状態における画像の表示状態が示されている。
【００５６】
図３（ａ）及び（ｄ）は、デュアルビュー表示装置１００の第一画像と第二画像に、異なる２つ入力ソースの画像を表示させた状態を示している。この表示状態をデュアル表示と呼ぶこととする。
【００５７】
なお、この際にデュアルビュー表示装置１００を正面から視聴すると、第一画像と第二画像が重なって見える。
【００５８】
図３（ｂ）及び（ｅ）は、分割処理回路によって、デュアルビュー表示装置１００の表示領域を、左側画像表示領域と右側画像表示領域とに分割し、縮小処理回路によって、異なる２つの入力ソースの画像を横方向にそれぞれ半分に縮小し、複数画像表示回路によって、左側画像表示領域に一つの入力ソースの画像を表示させ、右側画像表示領域に他の一つの入力ソースの画像をそれぞれ表示させている。この表示状態をダブル表示という。
【００５９】
なお、この際に第一画像と第二画像は同一の画像となる。そのため、デュアルビュー表示装置１００を正面から視聴すると、第一画像と第二画像が重なって見えるものの、同一の画像であるため一つの画像として視聴者から認識される。
【００６０】
図３（ｃ）及び（ｆ）は、デュアルビュー表示装置１００の第一画像と第二画像に、同一の入力ソースの画像を表示させた状態を示している。この表示状態をシングル表示（単画面表示）と呼ぶこととする。
【００６１】
なお、この際にデュアルビュー表示装置１００を正面から視聴すると、第一画像と第二画像が重なって見えるものの、同一の画像であるため一つの画像として視聴者から認識される。
【００６２】
なお、本実施の形態では視差バリア４３を用いるデュアルビュー表示装置１００を用いることで画像の視聴方向を制御したが、画像の透過と遮断を電気的に切り替え可能な視差バリアを用いてもよい。
【００６３】
この構成では、電気的に透過状態と非透過状態を切り替えることで、視差バリア４３と同様の閉口部と開口部を作り、マルチビュー表示を行うことができ、全面を透過状態とすることで単画面表示を行うことが可能である。
【００６４】
さらに、この構成におけるダブル表示は視差バリアの全面を透過状態とした状態において、画面を左右２つに分割し、分割領域のそれぞれに、入力ソースの画像を表示させればよい。
【００６５】
なお、視差バリアの全面を透過状態とした際に、第一画像表示領域と第二画像表示領域の両方を使って単一の画像を表示できるので、画面の解像度を２倍にする効果がある。
【００６６】
図４は、前述した画面表示及び画面切り替えを行なうための、デュアルビュー表示装置１００の動作を示したフローチャートである。なお、切り替え動作はリモコン操作等の視聴者による切り替え信号によって行われる。以下にその動作の説明を、切り替え信号を受信した際の表示状態が、シングル表示であった場合とデュアル表示であった場合の２つの場合に分けて説明する。
【００６７】
まず、最初の表示状態がシングル表示であった場合について図５を用いて説明する。
【００６８】
視聴者からの、表示切り替え信号を受信する（ステップＳ１０１）。
【００６９】
ＣＰＵ１１は検知時点の表示モードがシングル表示なのかデュアル表示なのかによって以後の表示状態を切り替える（ステップＳ１０２）。
【００７０】
ステップＳ１０２において表示モードが、シングル表示（図５（ａ））であった場合は、ダブル表示（図５（ｂ））となり、二つの入力ソースの画像が表示方向に対応した位置に表示される。すなわち、右側に第一方向に表示する画像が表示され、左側に第二方向に表示する画像が表示される（ステップＳ１０３）。
【００７１】
ダブル表示が行われた状態で、予め設定しておいた時間（例えば３秒）が経過することを検知すると次の動作に移るタイマー処理を行う（ステップＳ１０４）。
【００７２】
ダブル表示において、表示された２つの入力ソースの画像を第一方向と第二方向にそれぞれ表示させるデュアル表示（図５（ｃ））を行なう（ステップＳ１０５）。
【００７３】
次に、最初の表示状態がデュアル表示であった場合について図６を用いて説明する。
【００７４】
視聴者からの、表示切り替え信号を受信する（ステップＳ１０１）。
【００７５】
ＣＰＵ１１は検知時点の表示モードがシングル表示なのかデュアル表示なのかを検知する（ステップＳ１０２）。
【００７６】
ステップＳ１０２において検知された表示モードが、デュアル表示（図６（ａ））であった場合は、ダブル表示（図６（ｂ））となり、デュアル表示されていた二つの入力ソースの画像が表示方向に対応した位置に表示される。すなわち、右側に第一方向に表示されていた画像が表示され、左側に第二方向に表示されていた画像が表示される（ステップＳ１０６）。
【００７７】
ダブル表示が行われた状態で、予め設定しておいた時間（例えば３秒）が経過することを検知すると次の動作に移るタイマー処理を行う（ステップＳ１０７）。
【００７８】
ダブル表示において、表示された２つの入力ソースのうち１つを第一方向と第二方向の両方に表示させるシングル表示（図６（ｃ））を行なう（ステップＳ１０８）。
【００７９】
このような動作をデュアルビュー表示装置１００が行なうことによって、デュアル表示とシングル表示の切り替え時に、切り替え前又は切り替え後のマルチビュー表示の複数の画像の情報が、容易にわかるようになる。
［実施の形態２］
本発明の別の実施の形態として、選択画面を用いて、視聴者が入力ソースを選択できるようにしてもよい。図７は、この場合のデュアルビュー表示装置１００の動作を示したフローチャートである。なお、切り替え動作は実施の形態１と同様にリモコン操作等の視聴者による切り替え信号によって行われる。以下にその動作の説明を、切り替え信号を受信した際の表示状態が、シングル表示であった場合とデュアル表示であった場合の２つの場合に分けて説明する。
【００８０】
まず、最初の表示状態がシングル表示であった場合について図５を用いて説明する。
【００８１】
視聴者からの、表示切り替え信号を受信する（ステップＳ２０１）。
【００８２】
ＣＰＵ１１は検知時点の表示モードがシングル表示なのかデュアル表示なのかに合わせて表示画像を切り替える（ステップＳ２０２）。
【００８３】
ステップＳ２０２において検知された表示モードが、シングル表示（図５（ａ））であった場合は、ダブル表示（図５（ｂ））となり、二つの入力ソースの画像が表示方向に対応した位置に表示される。すなわち、右側に第一方向に表示する画像が表示され、左側に第二方向に表示する画像が表示される（ステップＳ２０３）。
【００８４】
この際に、図８に示すような選択画面１（入力選択画像）が表示される。
【００８５】
選択画面１では、表示されている入力ソースのチャンネル番号又は外部入力名が、文字表示２１，２３のようにそれぞれ画面の隅に表示される。
【００８６】
さらに選択メッセージが文字表示２２のように表示されるとともに、右側の画像が選択状態にあるか、左側の画像が選択状態にあるかを示すカーソル２４が表示される。
【００８７】
視聴者は図に示されるような選択画面において、左の画像にカーソルを合わせて、第一方向に対する画像の入力ソースを選択することができると共に、右の画像にカーソルを合わせて、第二方向に対する画像の入力ソースを選択することができる。
【００８８】
上記選択画面において、視聴者による第一方向と第二方向の入力ソースの選択信号を受信する（ステップＳ２０４）。
【００８９】
選択された２つの入力ソースの画像を第一方向と第二方向にそれぞれ表示させるデュアル表示（図５（ｃ））を行なう（ステップＳ２０５）。
【００９０】
次に、最初の表示状態がデュアル表示であった場合について図６を用いて説明する。
【００９１】
視聴者からの、表示切り替え信号を受信する（ステップＳ２０１）。
【００９２】
ＣＰＵ１１は検知時点の表示モードがシングル表示なのかデュアル表示なのかを検知する（ステップＳ２０２）。
【００９３】
ステップＳ２０２において検知された表示モードが、デュアル表示（図６（ａ））であった場合は、ダブルモード（図６（ｂ））となり、デュアル表示されていた二つの入力ソースの画像が表示方向に対応した位置に表示される。すなわち、右側に第一方向に表示されていた画像が表示され、左側に第二方向に表示されていた画像が表示される（ステップＳ２０６）。
【００９４】
この際に、図９に示すような選択画面２（入力選択画像）が表示される。
【００９５】
選択画面２では、表示されている入力ソースのチャンネル番号又は外部入力名が、文字表示３１，３３のようにそれぞれ画面の隅に表示される。
【００９６】
さらに選択メッセージが文字表示３２のように表示されるとともに、右側の画像が選択状態にあるか、左側の画像が選択状態にあるかを示すカーソル３４が表示される。
【００９７】
視聴者は図９に示されるような選択画面において、右の画像又は左の画像にカーソル３４を合わせて、シングル表示させる入力ソースを選択することができる。
【００９８】
上記選択画面において、視聴者よる入力ソースの選択信号を受信する（ステップＳ２０７）。
【００９９】
選択された入力ソースの画像を第一方向と第二方向の両方に表示させるシングル表示（図６（ｃ））を行なう（ステップＳ２０８）。
【０１００】
このように２つの入力ソースの画像の画像を見ながら、表示画像を選択することで、視聴者の入力ソースを選択する際の煩雑な作業を軽減することができると共に、入力ソースの選択ミスを防ぐことができる。
【０１０１】
なお、入力ソースが音声信号を含むものであった場合、さらに音声を出力するための図示しない回路とスピーカー（音声出力手段）を設けて、同時に音声も出力したほうが好ましいが、両画面の音声が同時に出力されると、視聴者がどちらの音声も正しく聞き取れない可能性がある。カーソルによって選択中の音声のみ、出力することが好ましい。
【０１０２】
また、本実施の形態ではカーソルによって、選択中の画面を示すようにしたが、選択中の入力ソースの画像を拡大又は縮小させる等によって、選択中であることを示すようにしてもよい。
【０１０３】
なお、選択画面は必ずしもダブル表示を行なう必要はなく、例えばデュアル表示状態で、ある表示方向に対する画像の一部に、他の表示方向に対する画像を表示させる選択画面でもよい（図１０）。
【０１０４】
また、選択画面において、必ずしも画面全体をシングル表示させる必要はなく、図１０に示すように、画面の一部の領域をシングル表示させてもよい。この場合、図１１に示すように現在デュアル表示を行なっていることを伝えるメッセージと入力ソース名５０が表示されるようにしてもよい。
【０１０５】
なお、本実施の形態の表示装置は２つのマルチビュー表示の表示方向を持つものを用いたが、３つ以上の表示方向を持つものを用いてもよい。この場合、一つの画像の表示領域を３つ以上に分割して、３つ以上の入力ソースの画像をそれぞれ分割表示させた画像を、３つ以上の表示方向に同時に表示する表示状態を用いる等すればよい。
【０１０６】
また、実施の形態１及び２では、固定式の視差バリアを有するデュアルビュー表示装置１００を用いたが、透過と遮断を電気的に切り替え可能な視差バリアを用いてもよい。
【０１０７】
この構成におけるダブル表示は、視差バリアの全面を透過状態とした状態において、画面を左右２つに分割し、分割領域のそれぞれに、２つの入力ソースの画像を表示させればよい（図１２）。
【産業上の利用可能性】
【０１０８】
本発明は、マルチビュー表示と単画面表示とが可能な表示装置に利用可能である。
【図面の簡単な説明】
【０１０９】
【図１】は、本発明の実施の形態に係るデュアルビュー表示装置の構成を示したブロック図である。
【図２】は、本発明の実施の形態に係るデュアルビュー表示装置の表示部の構成図である。
【図３】は、本発明の実施の形態に係るデュアルビュー表示装置の３つの表示状態をそれぞれ示した図である。
【図４】は、本発明の実施の形態に係る表示装置の、動作を示すフローチャートである。
【図５】は、本発明の実施の形態における、シングル表示からデュアル表示に切り替える際の表示状態を示した図である。
【図６】は、本発明の実施の形態における、デュアル表示からシングル表示に切り替える際の表示状態を示した図である。
【図７】は、本発明の実施の形態に係る表示装置の、動作の別の例を示すフローチャートである。
【図８】は、本発明の実施の形態に係る選択画面１を示した図である。
【図９】は、本発明の実施の形態に係る選択画面２を示した図である。
【図１０】は、本発明の実施の形態に係る選択画面の別の例を示した図である。
【図１１】は、本発明の実施の形態に係る選択画面の別の例を示した図である。
【図１２】は、本発明の実施の形態に係る別のデュアルビュー表示装置の表示状態を示した図である。
【符号の説明】
【０１１０】
１００  デュアルビュー表示装置
１２  表示制御部（識別情報表示手段、複数画像表示手段、縮小処理手段、表示位置設定処理手段、分割表示処理手段）
【図１】
0004813226.tif 000002
【図２】
0004813226.tif 000003
【図３】
0004813226.tif 000004
【図４】
0004813226.tif 000005
【図５】
0004813226.tif 000006
【図６】
0004813226.tif 000007
【図７】
0004813226.tif 000008
【図８】
0004813226.tif 000009
【図９】
0004813226.tif 000010
【図１０】
0004813226.tif 000011
【図１１】
0004813226.tif 000012
【図１２】
0004813226.tif 000013